(57)【特許請求の範囲】
【請求項１】
開状態の電気機器収納用箱の前面扉と該箱体の前面開口部との間に、ストッパを渡して該前面扉を開扉状態に保持する構造であって、
該ストッパの両端部に折り曲げ形成した係止部を設け、
前記電気機器収納用箱の床面から立ち上がる立ち上がり辺と、該立ち上がり辺を水平方向に折り曲げた折り曲げ辺と、該立ち上がり辺の他端部を床面と水平方向に折り曲げた固定辺を有するフレーム部材を該電気機器収納用箱底部の奥行方向に配置して、該フレーム部材に、前記係止部の一方を、回転可能に保持させ、
前面扉には、前面扉を開扉状態に保持する際、前記係止部の他方を係止するストッパ係止部を形成するとともに、
前記固定辺には、該前面扉を閉扉状態とする際、前記係止部の一方を安定保持する不使用時ストッパ保持部を形成したことを特徴とする電気機器収納用箱の開扉状態保持構造。
【請求項２】
前記フレーム部材に、前記ストッパの長辺部が挟まるスリット部を設けたことを特徴とする請求項１記載の電気機器収納用箱の開扉状態保持構造。
【請求項３】
該フレーム部材は、電子・電気機器を取り付けるマウントフレームを固定する奥行方向のフレームであることを特徴とする請求項１記載の電気機器収納用箱の開扉状態保持構造。
【発明の詳細な説明】
【技術分野】
【０００１】
本発明は電気機器収納用箱の開扉状態保持構造に関するものである。
【背景技術】
【０００２】
電気機器収納用箱の内部に、機器取り付けや配線等の作業を行う際、電気機器収納用箱の扉を開放した状態（以下、開扉状態という）で保持することが必要となる。
【０００３】
電気機器収納用箱の開扉保持構造としては、開状態の扉と、該箱体の開口部との間に、ストッパを渡して開扉状態に保持する構造が一般的に採用されている。
【０００４】
該ストッパの一端部は、通常、電気機器収納用箱の箱体側に設けたストッパ取付部に対して垂直の回転軸を持つように取り付けられ、開扉状態を保持する際には、該ストッパの他端部を、開いた扉方向に回転させた上で、扉側に設けたストッパ係止部により係止する構造を有している。
【０００５】
該箱体側にストッパを取付けるために設けたストッパ取付部の具体的構成として、例えば、箱体の水切部に係止穴を開ける構成や、或いは、箱体の開口部にストッパ係止金具を設ける構成（例えば、特許文献１）が知られている。
【０００６】
しかし、箱体の水切部に穴を開け、該穴にストッパの一端を差し込んで取付ける方法では、該箱体の水切部に設けた穴から、該箱体内に水や埃が浸入することがあり、防水・防塵性能や防錆性能の観点から問題があった。
【０００７】
また、箱体の開口部にストッパ係止金具を設け、該係止金具にストッパの一端を保持させて取付ける方法では、該ストッパ係止具を別途製作し、箱体の開口部に取り付けることが必要となるため、箱体の製造工程が煩雑になる問題があった。
【先行技術文献】
【特許文献】
【０００８】
【特許文献１】特開２００５-３１４９７４号公報
【発明の概要】
【発明が解決しようとする課題】
【０００９】
本発明の目的は、前記の防水・防塵性能や防錆性能の問題や、箱体の製造工程が煩雑になる問題を解決する電気機器収納用箱の開扉状態保持構造を提供することである。
【課題を解決するための手段】
【００１０】
上記課題を解決するためになされた本発明の電気機器収納用箱の開扉状態保持構造は、開状態の電気機器収納用箱の前面扉と該箱体の前面開口部との間に、ストッパを渡して該前面扉を開扉状態に保持する構造であって、該ストッパの両端部に折り曲げ形成した係止部を設け、前記電気機器収納用箱の床面から立ち上がる立ち上がり辺と、該立ち上がり辺を水平方向に折り曲げた折り曲げ辺と、該立ち上がり辺の他端部を床面と水平方向に折り曲げた固定辺を有するフレーム部材を該電気機器収納用箱底部の奥行方向に配置して、該フレーム部材に、前記係止部の一方を、回転可能に保持させ、前面扉には、前面扉を開扉状態に保持する際、前記係止部の他方を係止するストッパ係止部を形成するとともに、前記固定辺には、該前面扉を閉扉状態とする際、前記係止部の一方を安定保持する不使用時ストッパ保持部を形成したことを特徴とするものである。
【００１１】
請求項２記載の発明は、請求項１記載の電気機器収納用箱の開扉状態保持構造において、前記フレーム部材に、前記ストッパの長辺部が挟まるスリット部を設けたことを特徴とするものである。
【００１２】
請求項３記載の発明は、請求項１記載の電気機器収納用箱の開扉状態保持構造において、該フレーム部材は、電子・電気機器を取り付けるマウントフレームを固定する奥行方向のフレームであることを特徴とするものである。
【００１３】
【００１４】
【００１５】
【発明の効果】
【００１６】
本発明によれば、電気機器収納用箱の開扉状態保持構造を、開状態の電気機器収納用箱の前面扉と該箱体の前面開口部との間に、ストッパを渡して該前面扉を開扉状態に保持する構造であって、該ストッパの両端部に折り曲げ形成した係止部を設け、前記電気機器収納用箱の床面から立ち上がる立ち上がり辺と、該立ち上がり辺を水平方向に折り曲げた折り曲げ辺と、該立ち上がり辺の他端部を床面と水平方向に折り曲げた固定辺を有するフレーム部材を該電気機器収納用箱底部の奥行方向に配置して、該フレーム部材に、前記係止部の一方を、回転可能に保持させ、前面扉には、前面扉を開扉状態に保持する際、前記係止部の他方を係止するストッパ係止部を形成するとともに、前記固定辺には、該前面扉を閉扉状態とする際、前記係止部の一方を安定保持する不使用時ストッパ保持部を形成するものとすることにより、従来、該ストッパ取付部を、箱体の水切部に係止穴を開ける構成とした場合に生じていた問題（防水・防塵性能や防錆性能の問題）、および、箱体の開口部にストッパ係止金具を設ける構成とした場合に生じていた問題（箱体の製造工程が煩雑になる問題）を解消することができる。
【００１７】
フレーム部材は、床面から立ち上がる立ち上がり辺と該立ち上がり辺を水平方向に折り曲げた折り曲げ辺を有し、該スリット部を、折り曲げ辺もしくは固定辺の少なくとも一方に形成したことにより、開扉状態の保持を目的として該ストッパを使用しない場合には、該ストッパを該立ち上がり辺側のスリット部に落としこんで箱体内に安定して保持することができる。このように、立ち上がり辺側のスリット部に落としこんで、箱体内に安定して保持することにより、箱体内の機器震動に起因するストッパの横ブレ等を押え、該ストッパの横ブレに伴って該箱内に生じるひっかき傷を有効に防止することができる。
【図面の簡単な説明】
【００１８】
【図１】本発明の開扉状態保持構造の全体説明図である（ストッパ使用時）。
【図２】図１のストッパ保持構造の拡大説明図である。
【図３】本発明の開扉状態保持構造の全体説明図である（ストッパ不使用時）。
【図４】図３のストッパ保持構造の拡大説明図である。
【図５】（ａ）ストッパ保持構造の拡大説明図である（ストッパ不使用時）。（ｂ）ストッパを省略した図である。
【図６】ストッパの説明図である。
【図７】参考形態の説明図である。
【図８】参考形態の説明図である。
【図９】参考形態の開扉状態保持構造の拡大説明図である。
【図１０】（ａ）参考形態のストッパ保持構造の拡大説明図である（ストッパ不使用時）。（ｂ）ストッパを省略した図である。
【図１１】参考形態の開扉状態保持構造の拡大説明図である。
【図１２】参考形態に用いるストッパの説明図である。
【発明を実施するための形態】
【００１９】
以下に本発明の好ましい実施形態を示す。
【００２０】
図１および図３には、本発明の電気機器収納用箱の開扉状態保持構造を備える電気機器収納用箱の全体図を示している。図２および図４には、各々、図１および図３のストッパ保持構造の拡大説明図を示している。なお、図１には、ストッパを使用して開扉状態を保持している状態を示し、図３には、不使用時の該ストッパが電気機器収納用箱に収納されている状態を示している。図５（ａ）には不使用時の該ストッパが収納された別の角度から示した拡大図、図５（ｂ）はストッパを省略した図を示している。なお、側面板については省略している。図６には、該ストッパ４の説明図を示している。
【００２１】
図１〜図４において、１は電気電子機器収納用箱、２は該箱体内に電子機器・電気機器・ユニット等を固定するためのマウントアングル、３はマウントアングルを固定する電気機器収納用箱の底部に固定された奥行方向のフレーム部材である奥行フレーム、４は略コ字状に形成したストッパを示している。なお、マウントアングル２は、奥行フレーム３上を前後に移動させて位置決めした上で、所望の位置に固定されるものである。
【００２２】
該電気電子機器収納用箱体１の四方壁面および天井には遮光板を設け、側面板もしくは前面板もしくは背面板には開口部を設け、熱交換器などが取り付けられる構造とすることが好ましい。該開口部は使用しない場合はブラインドパネル等で塞いでおくことができる。
【００２３】
図２および図４に示すように、該ストッパ４の一端部は、奥行フレーム３にストッパ係止部として設けたスリット部５に支持され、該ストッパ４の他端部は、該電気電子機器収納用箱体１の前面扉６のフランジ部にストッパ係止部として設けた穴部７に係止される。
【００２４】
略コ字状に形成された該奥行フレーム３は、図２および図４、図５に示すように、床面から立ち上がる立ち上がり辺３ａと該立ち上がり辺を水平方向に折り曲げた折り曲げ辺３ｂを有し、該スリット部５は、該立ち上がり辺３ａから折り曲げ辺３ｂに渡って形成されている。また、立ち上がり辺３ａの他端部にも水平方向に折り曲げた固定辺３ｃが形成されており、該固定辺３ｃが電気機器収納用箱の底部の金具にボルト等で固定される。なお、該固定辺３ｃ及び該立ち上がり辺３ａに渡ってスリット部１０が形成されている。スリット部は折り曲げ辺３ｂもしくは固定辺３ｃの少なくともどちらか一方に形成すればよい。ただし、スリット部５、１０を折り曲げ辺３ｂもしくは固定辺３ｃを両方に形成することにより上下対象の構造になるために部品の統一が可能となる。
【００２５】
該ストッパ４は、図６に示すように、長辺部４ｃの両端部を垂直に折り曲げて係止部を形成している。具体的には、該係止部の一端部を、奥行フレーム３にストッパ係止部として設けた該スリット部５に支持されて回転軸となる回転軸部４ａとして形成し、他端部を、前面扉６のフランジ部にストッパ係止部として設けた穴部７に係止される被係止部４ｂとして形成している。回転軸部４ａの先端部を更に水平方向に折り曲げ、該回転軸部４ａを該スリット部５に支持させるための突部４ｄを形成している。
【００２６】
該ストッパ４の回転軸部４ａを、該スリット部５に脱着する際には、突部４ｄが、スリット部５と平行になるように配置して脱着を行う。
【００２７】
該ストッパ４の回転軸部４ａを該スリット部５に装着後、不使用時の該ストッパ４を電気機器収納用箱１に収納しておく場合には、図４に示すように、ストッパ４の回転軸部４ａの上端に位置する長辺部４ｃが、立ち上がり辺３ａに形成したスリット部５に挟まれて水平方向の動きを阻害されるようになっている。また、該ストッパ４の不使用時に、該ストッパ４を該立ち上がり辺３ａ側のスリット部５に落としこんで、更にストッパ４の突部４ｄをスリット部１０に落とし込み箱体内に安定して保持することにより、箱体内の機器震動に起因するストッパ４の横ブレ等を押え、該ストッパ４の横ブレに伴って該箱内に生じるひっかき傷を有効に防止することができる。なお、該ストッパ４の被係止部４ｂに、樹脂等からなる保護部材を被覆しておくことにより、該ストッパ４の横ブレに伴って該箱内に生じるひっかき傷を更に効果的に防止することができる。
【００２８】
なお、不使用時の該ストッパ４を電気機器収納用箱１に収納しておく際に、図７に示すように、該ストッパ４の被係止部４ｂを保持する穴部８を奥行フレーム３に設けたり、または図８に示すように、該ストッパ４の被係止部４ｂを保持する穴部９をマウントアングル２に設けることも可能である。これにより、不使用時の該ストッパ４を、箱体内で更に安定して保持することができる。
【００２９】
ストッパ４を使用して開扉状態を保持する場合には、図４の状態にある該ストッパ４を垂直方向に持ち上げながら、立ち上がり辺３ａ側のスリット部５による係止状態を引きはずし、該ストッパ４の被係止部４ｂを前面扉６側に回転移動させ、前面扉６のフランジ部に設けた穴部７に被係止部４ｂを挿入して係止すればよい。
【００３０】
図９にはストッパ４を摺動可能に保持する構造が記載されている。コ字状に形成された奥行フレーム３の折り曲げ辺３ｂにスリット部１１を形成し、該ストッパ４を使用して開扉状態を保持する場合には該ストッパ４を垂直方向に持ち上げながら前面扉６側にスライドさせて該ストッパ４の被係止部４ｂを前面扉６のフランジ部に設けた穴部７に被係止部４ｂを挿入して係止させる。
【００３１】
ストッパ４使用時に扉が動作しないようにするために図１０、図１１のようなストッパ係止方法が用いられる。なお、摺動可能に保持する構造でストッパを使用する場合は図６に示す長辺部４ｃの端部に被係止部４ｂを両端に形成し突部４ｄを形成しないコ字状とした形状が望ましい。
【００３２】
図１０に示す方法は奥行フレーム３の固定辺３ｃに穴部１２、１３を形成したものである。ストッパ使用時にはフレーム部材３に係止しておくストッパの一端の係止部である被係止部４ｂを穴部１２に挿入し、他端の係止部の被係止辺を前面扉６のフランジ部に設けた穴部７に被係止部４ｂを挿入して係止させ、不使用時には該ストッパ４の両被係止部４ｂを穴部１２、１３に挿入して摺動しないように保持するものである。
【００３３】
図１１に示す方法は奥行フレーム３の折り曲げ辺３ｂに形成したスリット部１１の先端部にスリット１１の幅より大きくした穴部１４を形成し、ストッパ４は使用時にフレーム部材３に係止しておく被係止部４ｂの先端部に突部１５を設けたものである。突部１５はスリット１１より幅が広く、穴部１４より小さく形成した摺動係止部１５ａ、穴部１４より大きく形成した抜止係止部１５ｂからなる。使用時には摺動係止部１５ａを穴部１４に摺動係止部１５を引掛け係止させ、不使用時にはストッパ４を持ち上げて摺動係止部１５ａの係止を外して摺動させて奥行フレーム３に収納しておくものである。
【００３４】
図１２には、上記実施形態に用いるストッパ４と異なる構造を有するストッパ４の説明図を示している。
【００３５】
上記実施形態は、箱体の全面開口部にフレーム構造を持たない電気電子機器収納用箱の開扉状態保持構造について説明したが、例えば、箱体の全面開口部にフレーム構造を有する電気機器収納用ラック等の場合には、幅広の奥行フレームを形成もしくは開口部より内側に別部材のフレームを形成することによりストッパ４を使用することにより十分な開口角度を保つことが可能となる。ただし、幅広のフレームや別部材のフレームが利用できない場合には該フレームが邪魔になり、図６に示すストッパ４を用いた場合、開扉状態で十分な開口角度を保つことができない。この場合、図１２に示すように、ストッパ４の長辺部４ｃを、くの字に折り曲げて形成することにより、９０°以上の開口を保持することが可能となる。
【符号の説明】
【００３６】
１      電気電子機器収納用箱
２      マウントアングル
３      奥行フレーム
３ａ    立ち上がり辺
３ｂ    折り曲げ辺
３ｃ    固定辺
４      ストッパ
４ａ    回転軸部
４ｂ    被係止部
４ｃ    長辺部
４ｄ    突部
５、１０、１１  スリット部
６      前面扉
７、８，９、１２、１３、１４  穴部
１５    突部
１５ａ  摺動係止部
１５ｂ  抜止係止部
【図１】
0005393351.tif 000002
【図２】
0005393351.tif 000003
【図３】
0005393351.tif 000004
【図４】
0005393351.tif 000005
【図５】
0005393351.tif 000006
【図６】
0005393351.tif 000007
【図８】
0005393351.tif 000008
【図９】
0005393351.tif 000009
【図１０】
0005393351.tif 000010
【図１１】
0005393351.tif 000011
【図１２】
0005393351.tif 000012
【図７】
0005393351.tif 000013